(57)【特許請求の範囲】
【請求項１】
上面に溝模様を形成したセメント系材料からなる板状の建材の平坦な頂部を厚みとして検出する検査方法において、一つの建材を相対的に移動させながら変位センサーで建材の表面の形状を計測し、この形状から上面と下面の間隔を厚みデータとしてデータ処理機に取り込み、このデータを大きい順に並び替えを行って変位曲線を得た後に、標準の建材の変位曲線から予め求めた下記の各成分の区域の割合に基づいて、この変位曲線を大きい値の方から、ノイズ成分の区域、頂部の厚み成分の区域、溝部を含むその他の厚み成分の区域に区分けし、頂部の厚み成分の区域で算出した値を厚みとすることを特徴とする建材の厚み検査方法。
【請求項２】
標準の建材をノギス等で計測した頂部の厚みに基づいて、標準の建材の変位曲線から予めノイズ成分の区域の割合を算出し、上記ノイズ成分の区域をこの算出した区域とすることを特徴とする請求項１記載の建材の厚み検査方法。
【請求項３】
上記検出した頂部の厚み成分を、所定の厚み検査基準値と照合し、その基準範囲内であるかを合否判定することを特徴とする請求項１又は請求項２記載の建材の厚み検査方法。
【発明の詳細な説明】
【０００１】
【発明の属する技術分野】
本発明は、上面に溝模様を形成したセメント系材料からなる板状の建材、この建材の平坦な頂部を厚みとして検出する建材の厚み検査方法に関するものである。
【０００２】
【従来の技術】
外装材や内装材として採用されている板状の建材は、セメントを原料とし、これに繊維や着色材等を混入した成形材料を、押し出し成形等によって原板を作製し、その後、プレス成形して上面に溝部と平坦な頂部からなる凹凸模様を形成し、養生硬化をする工程を得て製造される。
【０００３】
製造された板状の建材の厚みを検査する方法としては、サンプルを抜き出しノギスで測定する方法があるが、近年にあっては、レーザー式や超音波式等の変位センサーを用いて、建材または変位センサーを移動させながら、建材の表面の形状を計測し、この形状から上面と下面の間隔を厚みデータを検出する方法が行われている。
【０００４】
【発明が解決しようとする課題】
上記建材は、後工程でその表面にロールを用いて表面化粧が施される。このロール位置の設定に、上記変位センサーで検出した頂部の厚みデータが利用される。上記変位センサーで検出した頂部の厚みデータと実際の頂部の厚みに誤差があると、上記建材は、鮮明な表面化粧を施すことができない。そのため、建材の厚み検査方法において、より精度の高い検査方法の実現が要望されている。
【０００５】
本発明は上記の事情に鑑みてなされたもので、その目的とするところは、上面に溝模様を形成した板状の建材、この建材の平坦な頂部を厚みとして検出する検査方法にあって、より精度の高い建材の厚み検査方法を提供することにある。
【０００６】
【課題を解決するための手段】
本発明者は、上記目的を達成するために、鋭意研究を重ねた結果、非接触式の変位センサーとしてレーザー式や超音波式を用いて、建材の表面の形状を厚み曲線データとして処理機に入力する際に、溝部から頂部に測定個所が移動するときに、頂部の角部で厚み曲線が急に立ち上がりその反動がノイズとなって、実測より大きい値のデータとして入力され、このノイズを含んで頂部の厚みが算出されるため、頂部の厚みが実際より大きくなることを見出した。本発明者は、さらに、研究を重ねて、頂部の厚みが実際より大きくなるノイズ成分の区域の割合を、標準の建材で割り出し、例えば、全体の長さに対しノイズ成分の区域が５％と予め算出し、入力された厚みデータを大きい順に並び替えを行って変位曲線を得た後に、この変位曲線を大きい値の方から、除去するノイズ成分、採用する頂部の厚み成分、除去する溝部を含むその他の厚み成分に区分けしてデータ処理を設定すると、頂部の厚み検出精度がより向上することを見出し、本発明の完成に至ったものである。
【０００７】
請求項１記載の建材の厚み検査方法は、上面に溝模様を形成したセメント系材料からなる板状の建材の平坦な頂部を厚みとして検出する検査方法において、一つの建材を相対的に移動させながら変位センサーで建材の表面の形状を計測し、この形状から上面と下面の間隔を厚みデータとしてデータ処理機に取り込み、このデータを大きい順に並び替えを行って変位曲線を得た後に、標準の建材の変位曲線から予め求めた下記の各成分の区域の割合に基づいて、この変位曲線を大きい値の方から、ノイズ成分の区域、頂部の厚み成分の区域、溝部を含むその他の厚み成分の区域に区分けし、頂部の厚み成分の区域で算出した値を厚みとすることを特徴とする。
【０００８】
請求項２記載の建材の厚み検査方法は、請求項１記載の建材の厚み検査方法において、標準の建材をノギス等で計測した頂部の厚みに基づいて、標準の建材の変位曲線から予めノイズ成分の区域の割合を算出し、上記ノイズ成分の区域をこの算出した区域とすることを特徴とする。
【０００９】
請求項３記載の建材の厚み検査方法は、請求項１又は請求項２記載の建材の厚み検査方法において、上記検出した頂部の厚み成分を、所定の厚み検査基準値と照合し、その基準範囲内であるかを合否判定することを特徴とする。
【００１０】
【発明の実施の形態】
本発明を図に基づいて説明する。図１（ａ）〜（ｃ）はデータ処理のステップを説明した説明図、図２は建材と変位センサーを説明した説明図、図３は表面に溝模様を形成した建材の一例を示す斜視図である。
【００１１】
本発明の対象となる建材１は、外装材や内装材として採用されているものであり、上面４に溝模様を形成したセメント系材料からなる板状のものである。上記建材は、例えば、セメントを原料とし、これに繊維や着色材等を混入した成形材料を、押し出し成形等によって原板を作製し、その後、プレス成形して上面４に溝部２と平坦な頂部３からなる凹凸模様を形成し、養生硬化をする工程を得て製造されるものである。
【００１２】
本発明は、図２に示すように、上記建材１の平坦な頂部３を厚みＨとして検出する検査方法である。上記検査方法は、変位センサー６で建材１の表面の形状を計測する。上記変位センサー６は、非接触式のセンサーであり、例えば、レーザー式や超音波式のものが挙げられる。上記検査方法は、変位センサー６と測定する建材１を相対的に移動させながら計測する。上記検査方法は、変位センサー６を固定して測定する建材１を移動させながら計測する方式でも、変位センサー６が移動しながら計測する方式でもよい。上記検査方法は、図に示すように、変位センサー６を上下に設置して建材１の上面４と下面５の形状を計測する方式でも、下面５を平坦な基準として建材１の上面４の形状のみを計測する方式（図示せず）でもよい。
【００１３】
上記検査方法においては、データ処理機が用いられる。上記検査方法は、変位センサー６で計測した建材１の表面の形状から上面４と下面５の間隔を厚みデータとしてデータ処理機に取り込む。データ処理機で処理するステップを、図１に基づいて説明する。上記検査方法は、データ処理機で、図１（ａ）に示すように厚み曲線１１が形成される。上記厚み曲線１１は、建材１の頂部３が位置する個所で大きい値となり、溝部２が位置する個所で小さい値となって形成される。上記厚み曲線１１は、溝部２から頂部３に測定個所が移動するときに、頂部３の角部で、実測より厚みが大きく振れる突出個所１２が生じる。これは、溝部２から頂部３に測定個所が移動するときに、急に立ち上がるために生じるデータのノイズである。
【００１４】
次に、上記検査方法は、データ処理機で取り込まれた厚みデータを値の大きい順に並び替えて、図１（ｂ）に示すように変位曲線２１を形成する。図１（ｃ）に示すように、この変位曲線２１は、大きいほうよりノイズ成分Ａ、頂部３の厚み成分Ｂ、溝部２を含むその他の厚み成分Ｃの区域に区分けされる。上記検査方法は、ノイズ成分Ａ、及び、溝部を含むその他の厚み成分Ｃを除き、頂部の厚み成分Ｂの区域の属するデータを、建材１の頂部４の厚みとして検出するものである。
【００１５】
上記ノイズ成分Ａの区域は、標準の建材の変位曲線から予めノイズ成分の割合を算出し、この算出した区間までとするものである。標準の建材を用い、ノギス等で頂部３の厚みを計測し、標準の建材の変位曲線において、ノイズ成分の割合を、例えば、全体の長さに対し５％と算出しておく。そして、上記検査方法は、厚みデータを値の大きい順に並び替えて形成した変位曲線２１のうち、このノイズ成分Ａを除くことで、頂部の厚み成分Ｂを抽出するものである。上記検査方法は、頂部の厚み成分Ｂを平均値を算出し、この値を建材１の頂部３の厚みＨとする。
【００１６】
また、上記検査方法は、検出した頂部３の厚み成分が、所定の厚み検査基準値と照合し、その基準範囲内であるかを合否判定することで、厚み不合格品を除去することができるものである。
【００１７】
【発明の効果】
本発明の建材の厚み検査方法は、データを大きい順に並び替えを行って変位曲線を得た後に、この変位曲線を大きい値の方から、除去するノイズ成分、採用する頂部の厚み成分、除去する溝部を含むその他の厚み成分に区分けしてデータ処理を設定するので、より精度の高い頂部の厚み検査が実現できる。
【図面の簡単な説明】
【図１】本発明に対応する実施の形態の一例を示し、（ａ）〜（ｃ）はデータ処理のステップを説明した説明図である。
【図２】同上の建材と変位センサーを説明した説明図である。
【図３】表面に溝模様を形成した建材の一例を示す斜視図である。
【符号の説明】
１        建材
２        溝部
３        頂部
４        上面
５        下面
６        変位センサー
１１      厚み曲線
２１      変位曲線
Ａ        ノイズ成分
Ｂ        頂部の厚み成分
Ｃ        その他の厚み成分
【図１】
0004189129.tif 000002
【図２】
0004189129.tif 000003
【図３】
0004189129.tif 000004